(57)【要約】【課題】  変形容易な材料からなる断熱材２を介して下木材１に板材３を木ネジ４により締結固定する断熱構造において、その締結時に断熱材２が圧縮変形することを防止する断熱構造およびそれに用いる木ネジの提供。【解決手段】  木ネジ４として、先端側に先端部ネジ５を形成すると共に、頭部６の付根部に首部ネジ７を形成し、その中間にネジ無し部８を設ける。そして先端部ネジ５および首部ネジ７を同一方向の螺旋条に形成し、首部ネジ７の長さを先端部ネジ５のそれより短く且つ、首部ネジ７のネジピッチＰ2 を先端部ネジ５のネジピッチＰ1 より大きくする。【選択図】        図２
2006038027.tif 000002
【特許請求の範囲】
【請求項１】
支柱や間柱等の下木材(1) に、締結による変形が容易な材料からなる断熱材(2) を介して回り縁等の板材(3) が木ネジ(4) により締結固定される断熱構造において、
その木ネジ(4) は、その先端側に先端部ネジ(5) が形成されると共に、頭部(6) の付根部に首部ネジ(7) が形成され、それらの中間にはネジ無し部(8) が形成され、
両ネジ(5) (7) は同一方向の螺旋条に形成され、首部ネジ(7) の長さが先端部ネジ(5) のそれより短く、首部ネジ(7) のネジピッチ（Ｐ2 ）が先端部ネジ(5) のネジピッチ（Ｐ1 ）より大きいことを特徴とする断熱構造。
【請求項２】
先端側に先端部ネジ(5) が形成されると共に、頭部(6) の付根部に首部ネジ(7) が形成され、それらの中間にはネジ無し部(8) が形成され、
両ネジ(5) (7) は同一方向の螺旋条に形成され、首部ネジ(7) の長さが先端部ネジ(5) のそれより短く、首部ネジ(7) のネジピッチ（Ｐ2 ）が先端部ネジ(5) のネジピッチ（Ｐ1 ）より大きいことを特徴とする断熱構造用の木ネジ。
【発明の詳細な説明】
【技術分野】
【０００１】
本発明は、主として外断熱の木造家屋における断熱構造およびそれに用いる木ネジに関する。
【背景技術】
【０００２】
冬季における断熱材の結露を乾燥させる目的で、外断熱構造が提唱されている。即ち、室内を暖房している冬季においては、断熱材の外壁側に結露が生じる。
従来の木造構造ではそれを乾燥させる通気層をその外壁面に設けることが困難であるため、結露が断熱材の外側表面に長期間保持されることになり、木造家屋の耐久性を損なうおそれがあった。これを解決する方法として、図４，図５に示す外断熱構造が下記特許文献その他に提唱されている。これは柱または間柱である下木材１の外側に断熱材２を介して、通気用回り縁である板材３を上下方向に配置し、その板材３と下木材１との間を木ネジ４で締結固定する。そして、板材３に外壁材９を、図示しない釘等により止着させ、板材３をスペーサとして、外壁材９と断熱材２との間に空気流通空間10を図５の如く、上下方向に形成し、断熱材２の外側の結露水を空気流通空間10を流通する外気16により乾燥させるものである。即ち、外気16を土台13近傍の入口から空気流通空間10に導き、その内部を上昇させ、屋根15の内側等の出口からそれを排出する。そして空気流通空間10に露出する断熱材２の表面を乾燥させるものである。
【０００３】
【特許文献１】特開２００２−２１２０９号公報
【発明の開示】
【発明が解決しようとする課題】
【０００４】
上記の外断熱構造において、断熱材２は発泡スチロール等からなり、比較的変形が容易な材料から形成されている。そのため、木ネジ４によって断熱材２を挟持するように下木材１と板材３との間を締結固定すると、図４に示す如く、その締結部で断熱材２に凹部11が形成される。すると、各板材３表面が波打つことになり、その板材３に止着される外壁材９の表面が波打つ結果となる。そのため外壁材９の外表面の体裁を悪くする問題が生じることが本発明者の実験により明らかとなった。そこで、本発明は係る問題点を解決することを課題とする。
【課題を解決するための手段】
【０００５】
請求項１に記載の本発明は、支柱や間柱等の下木材(1) に、その締結により変形の容易な材料からなる断熱材(2) を介して回り縁等の板材(3) が木ネジ(4) により締結固定される断熱構造において、
その木ネジ(4) は、その先端側に先端部ネジ(5) が形成されると共に、頭部(6) の付根部に首部ネジ(7) が形成され、それらの中間にはネジ無し部(8) が形成され、
両ネジ(5) (7) は同一方向の螺旋条に形成され、首部ネジ(7) の長さが先端部ネジ(5) のそれより短く、首部ネジ(7) のネジピッチ（Ｐ2 ）が先端部ネジ(5) のネジピッチ（Ｐ1 ）より大きいことを特徴とする断熱構造である。
【０００６】
請求項２に記載の本発明は、先端側に先端部ネジ(5) が形成されると共に、頭部(6) の付根部に首部ネジ(7) が形成され、それらの中間にはネジ無し部(8) が形成され、
両ネジ(5) (7) は同一方向の螺旋条に形成され、首部ネジ(7) の長さが先端部ネジ(5) のそれより短く、首部ネジ(7) のネジピッチ（Ｐ2 ）が先端部ネジ(5) のネジピッチ
（Ｐ1 ）より大きいことを特徴とする断熱構造用の木ネジである。
【発明の効果】
【０００７】
本発明の断熱構造に用いられる木ネジは、先端部ネジ５と首部ネジ７とを有し、首部ネジ７のネジピッチＰ2 が先端部ネジ５のネジピッチＰ1 より大きく形成されたものである。そのため、変形容易な断熱材２を介して下木材１に板材３を締結固定しても、断熱材２が変形することを可及的に防止できる。即ち、図２に示す如く木ネジ４を回転しつつ、下木材１，断熱材２，板材３にそれを締結するとき、先端部ネジ５が下木材１に達すると共に、板材３に首部ネジ７が達すると、相対的に板材３が断熱材２から一旦離反し、断熱材２に圧力を加えることなく、次いでそれに、板材３を接触させることができる。
【０００８】
これは、図２において、例えば木ネジ４を一回転させ、下木材１，板材３内にそれを進入させたとき、木ネジ４に対し、下木材１が相対的に先端部ネジ５の１ピッチ分左方に移動し、板材３は首部ネジ７の１ピッチ分左方に移動することになる。首部ネジ７の１ピッチは、先端部ネジ５のそれよりも大きいため、板材３の方が下木材１より左方により大きく移動する。それにより板材３と下木材１とは互いに離反し、その結果、板材３と断熱材２とが離反し、断熱材２に圧力を加えることがない。
次いで、木ネジ４の軸方向への移動に伴い、板材３が断熱材２に圧力を加えることなく接触する。それによって板材３表面を平面状態に保ち、それが波打つことを防止できる。従って板材３が平坦に形成されることにより、その表面に取り付けられる外壁材９（図３参照）も波打つことなく、体裁の良い断熱構造および外壁構造を形成できる。
【発明を実施するための最良の形態】
【０００９】
次に、図面に基づいて本発明の実施の形態につき説明する。図１は本発明の断熱構造に用いられる木ネジ４の略図である。また、図２はその木ネジ４を用いて板材３を下木材１に、断熱材２を介して止着する各工程を順に示す説明図である。また、図３は本発明の断熱構造の要部断面図である。
【００１０】
この断熱構造に用いられる木ネジ４は、図１に示す如く、その先端側に先端部ネジ５が形成されると共に、その頭部６の付根部に首部ネジ７が形成され、それらの中間にはネジ無し部８が形成されている。そして、先端部ネジ５，首部ネジ７は同一方向の螺旋条に形成され、首部ネジ７の長さが先端部ネジ５のそれよりも著しく短く形成されている。更に、首部ネジ７のネジピッチＰ2 が先端部ネジ５のネジピッチＰ1 より大きく形成されている。なお、先端部ネジ５および／または首部ネジ７は１条ネジであっても、２以上の多条ネジであってもよい。いずれにしても、先端部ネジ５のネジピッチＰ1 が首部ネジ７のネジピッチＰ2 よりも小である必要がある。このような木ネジ４は、線材を転造加工等の常法により製造できる。即ち、線材の頭部、首部、先端部および各ネジを公知の加工方法で製造することができる。このとき、各ネジのネジ山部の形成は、その谷部の材料が塑性変形により移動して造られる。
【００１１】
（作用）
次に、このような木ネジ４を用いて、板材３を下木材１に断熱材２を介して止着する方法につき説明する。
先ず、図２（Ａ）の如く、柱等の下木材１に断熱材２を介して回り縁である板材３を上下方向に位置して接触させる。この断熱材２は発泡スチロール等の比較的変形しやすい材料からなる。そこで、図示しない電動ドライバーの先端を木ネジ４の頭部６の端面の凹部に嵌着して、それを回転しつつ下木材１側に押し込む。すると、（Ｂ）の如く板材３，断熱材２を貫通し、木ネジ４の先端部ネジ５が下木材１に達する。
次いで、木ネジ４の首部ネジ７が板材３に達すると、木ネジ４の回転に伴って、板材３は断熱材２の表面から僅かに離反する。
【００１２】
なお、図２（Ｃ）は説明を判りやすくするために、板材３と断熱材２との間隔を広くとったが、実際には両者の隙間は極めて僅かである。このように板材３と断熱材２とが離反する理由は次の通りである。
木ネジ４が一回転したとき図２において、下木材１は木ネジ４に対し、相対的に左方に先端部ネジ５のネジピッチＰ1 分だけ移動する。これに対し、板材３は首部ネジ７のネジピッチＰ2 分左方へ相対移動する。首部ネジ７のネジピッチＰ2 が先端部ネジ５のネジピッチＰ1 より大であるから、結局下木材１と板材３との離間距離が図２（Ｂ）よりも広がる。そのため、断熱材２と板材３とが離反する。
【００１３】
次いで、木ネジ４を更に回転することにより、板材３と首部ネジ７との間の螺着部は少し空回りし、電動ドライバの回転抵抗を増し、（Ｄ）の如く、板材３の表面が断熱材２に接触して、さらに回転抵抗が増し、電動ドライバのトルクリミッタを介して、その回転を停止させる。即ち、木ネジ４の回転抵抗が設定された負荷トルク値に達し、電動ドライバの先端部の回転が停止する。
このようにすることにより、木ネジ４締結時に断熱材２を不必要に変形させることがない。
そこで、次に図３の如く、板材３に外壁材９を図示しない釘等の締結具で止着すれば、外断熱構造が完成する。このとき、断熱材２と外壁材９との間に空気流通空間10が上下方向に形成される。そしてこの空気流通空間10を図５の如く、外気16が下方から上方に流通し、断熱材２の表面の結露を乾燥させることができる。
【図面の簡単な説明】
【００１４】
【図１】本発明の断熱構造に用いる木ネジ４の説明図。
【図２】同木ネジ４を用いて断熱構造を形成する各工程を示す説明図。
【図３】同断熱構造に外壁材９を止着した状態を示す断面図。
【図４】従来型断熱構造の説明図。
【図５】同断熱構造の縦断面図。
【符号の説明】
【００１５】
１  下木材
２  断熱材
３  板材
４  木ネジ
５  先端部ネジ
６  頭部
７  首部ネジ
８  ネジ無し部
【００１６】
９  外壁材
10  空気流通空間
11  凹部
12  基礎コンクリート
13  土台
14  けた
15  屋根
16  外気
【図１】
2006038027.tif 000003
【図２】
2006038027.tif 000004
【図３】
2006038027.tif 000005
【図４】
2006038027.tif 000006
【図５】
2006038027.tif 000007